(57)【要約】【課題】ユーザがスケジュール通りの行動を行っていないスケジュールを報知することができる。【解決手段】表示部１０５は、スケジュール情報で示される日時に予定が存在する場合、当該予定を報知する。ＣＰＵ１０２は、予定が達成されたか否かを判定する。表示部１０５は、予定が達成されたとＣＰＵ１０２が判定した場合、報知を解除し、予定が達成されていないとＣＰＵ１０２が判定した場合、日時を経過した後も報知を継続する。【選択図】図１
2014035690.tif 000002
【特許請求の範囲】
【請求項１】
スケジュール情報で示される日時に予定が存在する場合、当該予定を報知する報知部と、
前記予定が達成されたか否かを判定する判定部と、
を備え、
前記報知部は、前記予定が達成されたと前記判定部が判定した場合、前記報知を解除し、前記予定が達成されていないと前記判定部が判定した場合、前記日時を経過した後も前記報知を継続する
ことを特徴とする電子機器。
【請求項２】
前記報知部は、前記日時を経過した後も前記報知を継続する際には前記報知の方法を変更する
ことを特徴とする請求項１に記載の電子機器。
【請求項３】
前記報知部は表示部を備え、前記表示部にアイコンを表示することで前記報知を行う
ことを特徴とする請求項１または請求項２に記載の電子機器
【請求項４】
前記報知部は、前記予定が達成されていないと前記判定部が判定した場合、前記日時を経過する前は前記表示部に前記アイコンを点灯表示し、前記日時を経過した後は、前記表示部に前記アイコンを点滅表示する
ことを特徴とする請求項３に記載の電子機器。
【請求項５】
所定の処理を実行する処理部
を備え、
前記判定部は、前記処理部が前記所定の処理を実行した場合、前記予定が達成されたと判定する
ことを特徴とする請求項１から請求項４のいずれか１項に記載の電子機器。
【請求項６】
時間を計測する時間計測部
を備え、
前記判定部は、前記時間計測部が時間計測処理を実行した場合、前記予定が達成されたと判定する
ことを特徴とする請求項１から請求項４のいずれか１項に記載の電子機器。
【請求項７】
時間を計測する時間計測部
を備え、
前記判定部は、前記時間計測部が一定時間以上、時間計測処理を実行した場合、前記予定が達成されたと判定する
ことを特徴とする請求項１から請求項４のいずれか１項に記載の電子機器。
【請求項８】
歩数を算出する歩数算出部
を備え、
前記判定部は、前記歩数算出部が算出した前記歩数が所定の歩数以上である場合、前記予定が達成されたと判定する
ことを特徴とする請求項１から請求項４のいずれか１項に記載の電子機器。
【請求項９】
歩行距離を算出する距離算出部
を備え、
前記判定部は、前記距離算出部が算出した前記歩行距離が所定の距離以上である場合、前記予定が達成されたと判定する
ことを特徴とする請求項１から請求項４のいずれか１項に記載の電子機器。
【請求項１０】
消費カロリーを算出するカロリー算出部
を備え、
前記判定部は、前記カロリー算出部が算出した前記消費カロリーが所定のカロリー以上である場合、前記予定が達成されたと判定する
ことを特徴とする請求項１から請求項４のいずれか１項に記載の電子機器。
【請求項１１】
心拍数を示す心拍数データを受信する受信回路
を備え、
前記判定部は、前記受信回路が受信した前記心拍数データで示される前記心拍数が所定の心拍数以上である場合、前記予定が達成されたと判定する
ことを特徴とする請求項１から請求項４のいずれか１項に記載の電子機器。
【請求項１２】
歩行ピッチを算出するピッチ算出部
を備え、
前記判定部は、前記ピッチ算出部が算出した前記歩行ピッチが所定のピッチ以上である場合、前記予定が達成されたと判定する
ことを特徴とする請求項１から請求項４のいずれか１項に記載の電子機器。
【請求項１３】
スケジュール情報で示される日時に予定が達成されたか否かを判定する判定ステップと、
スケジュール情報で示される日時に予定が存在する場合、当該予定を報知し、前記予定が達成されたと前記判定ステップで判定した場合、前記報知を解除し、前記予定が達成されていないと前記判定ステップで判定した場合、前記日時を経過した後も前記報知を継続する報知ステップと、
をコンピュータに実行させるためのプログラム。
【発明の詳細な説明】
【技術分野】
【０００１】
本発明は、電子機器およびプログラムに関する。
【背景技術】
【０００２】
従来より、スケジュールを登録し、表示部にアイコンを表示することによりスケジュールの存在を知らせる機器が知られている（例えば、特許文献１参照）。また、スケジュールに応じて行動促進の報知を行い、ユーザが了解しない場合には、非了解の旨を通知するスケジュール管理方法が知られている（例えば、特許文献２参照）。また、スケジュールに位置情報を登録し、予定時刻に予定場所にいない場合に報知するスケジュール管理方法が知られている（例えば、特許文献３参照）。
【先行技術文献】
【特許文献】
【０００３】
【特許文献１】特開平８−７７１１１号公報
【特許文献２】特開２００４−３８３０７号公報
【特許文献２】特開２００３−７８９４４号公報
【発明の概要】
【発明が解決しようとする課題】
【０００４】
しかしながら、特許文献１の技術では、スケジュールの存在を知らせるだけであるため、ユーザがスケジュール通りの行動を行うことを忘れてしまう可能性がある。また、特許文献２に記載の技術では、スケジュールの有無を通知し、了解したか否かに基づいてユーザがスケジュール通りの行動を行ったと判定するため、了解はしたが、実際にはユーザがスケジュール通りの行動を行うことを忘れてしまう可能性がある。また、特許文献３に記載の技術では、位置情報に基づいて予定の場所に存在している場合ユーザがスケジュール通りの行動を行ったと判定するため、場所に重要性がないスケジュールについては、ユーザがスケジュール通りの行動を行ったことを判定することができないという問題がある。例えば、一定時間以上トレーニングを行うなど、場所に制限がない行動のスケジュールを知らせる場合、ユーザがスケジュール通りの行動を行ったか否かを判定することができないという問題がある。
【０００５】
本発明は、上記事情に鑑みてなされたものであり、ユーザがスケジュール通りの行動を行っていないスケジュールを報知することができる電子機器およびプログラムを提供することを目的とする。
【課題を解決するための手段】
【０００６】
本発明は、スケジュール情報で示される日時に予定が存在する場合、当該予定を報知する報知部と、前記予定が達成されたか否かを判定する判定部と、を備え、前記報知部は、前記予定が達成されたと前記判定部が判定した場合、前記報知を解除し、前記予定が達成されていないと前記判定部が判定した場合、前記日時を経過した後も前記報知を継続することを特徴とする電子機器である。
【０００７】
また、本発明の電子機器において、前記報知部は、前記日時を経過した後も前記報知を継続する際には前記報知の方法を変更することを特徴とする。
【０００８】
また、本発明の電子機器において、前記報知部は表示部を備え、前記表示部にアイコンを表示することで前記報知を行うことを特徴とする。
【０００９】
また、本発明の電子機器において、前記報知部は、前記予定が達成されていないと前記判定部が判定した場合、前記日時を経過する前は前記表示部に前記アイコンを点灯表示し、前記日時を経過した後は、前記表示部に前記アイコンを点滅表示することを特徴とする。
【００１０】
また、本発明は、所定の処理を実行する処理部を備え、前記判定部は、前記処理部が前記所定の処理を実行した場合、前記予定が達成されたと判定することを特徴とする電子機器である。
【００１１】
また、本発明は、時間を計測する時間計測部を備え、前記判定部は、前記時間計測部が時間計測処理を実行した場合、前記予定が達成されたと判定することを特徴とする電子機器である。
【００１２】
また、本発明は、時間を計測する時間計測部を備え、前記判定部は、前記時間計測部が一定時間以上、時間計測処理を実行した場合、前記予定が達成されたと判定することを特徴とする電子機器である。
【００１３】
また、本発明は、歩数を算出する歩数算出部を備え、前記判定部は、前記歩数算出部が算出した前記歩数が所定の歩数以上である場合、前記予定が達成されたと判定することを特徴とする電子機器である。
【００１４】
また、本発明は、歩行距離を算出する距離算出部を備え、前記判定部は、前記距離算出部が算出した前記歩行距離が所定の距離以上である場合、前記予定が達成されたと判定することを特徴とする電子機器である。
【００１５】
また、本発明は、消費カロリーを算出するカロリー算出部を備え、前記判定部は、前記カロリー算出部が算出した前記消費カロリーが所定のカロリー以上である場合、前記予定が達成されたと判定することを特徴とする電子機器である。
【００１６】
また、本発明は、心拍数を示す心拍数データを受信する受信回路を備え、前記判定部は、前記受信回路が受信した前記心拍数データで示される前記心拍数が所定の心拍数以上である場合、前記予定が達成されたと判定することを特徴とする電子機器である。
【００１７】
また、本発明は、歩行ピッチを算出するピッチ算出部を備え、前記判定部は、前記ピッチ算出部が算出した前記歩行ピッチが所定のピッチ以上である場合、前記予定が達成されたと判定することを特徴とする電子機器である。
【００１８】
また、本発明は、スケジュール情報で示される日時に予定が達成されたか否かを判定する判定ステップと、スケジュール情報で示される日時に予定が存在する場合、当該予定を報知し、前記予定が達成されたと前記判定ステップで判定した場合、前記報知を解除し、前記予定が達成されていないと前記判定ステップで判定した場合、前記日時を経過した後も前記報知を継続する報知ステップと、をコンピュータに実行させるためのプログラムである。
【発明の効果】
【００１９】
本発明によれば、報知部は、スケジュール情報で示される日時に予定が存在する場合、当該予定を報知する。また、判定部は、予定が達成されたか否かを判定する。また、報知部は、予定が達成されたと判定部が判定した場合、報知を解除し、予定が達成されていないと判定部が判定した場合、日時を経過した後も報知を継続する。これにより、ユーザがスケジュール通りの行動を行っていないスケジュールを報知することができる。
【図面の簡単な説明】
【００２０】
【図１】本発明の一実施形態における腕時計の構成を示したブロック図である。
【図２】本実施形態において、腕時計が、外部のスケジュール設定装置から無線通信を用いてスケジュール情報の受信を行う処理手順を示したフローチャートである。
【図３】本実施形態における腕時計が、毎日、日が変わったとき（午前０時）に行う処理手順を示したフローチャートである。
【図４】本実施形態における腕時計がスケジュールアイコンを消灯する処理手順を示したフローチャートである。
【図５】本実施形態における腕時計がスケジュールアイコンを消灯する第２の処理手順を示したフローチャートである。
【発明を実施するための形態】
【００２１】
以下、本発明の一実施形態について、図面を参照しながら説明する。本実施形態では、電子機器の一例として、腕時計の例を用いて説明する。腕時計は通信制御部を備えており、外部のスケジュール設定装置から無線通信を用いてスケジュール情報の受信を行う。スケジュール情報は、予定（例えば、ランニング）を示す情報と、この予定を実行する日時とを含む情報である。また、腕時計は受信回路を備えており、ユーザの心拍数を示す心拍データを外部の心拍数検出装置から受信する。また、腕時計は表示部を備えており、スケジュール情報で指定された日時となった場合、ユーザに対してスケジュールを報知するために表示を行う。また、腕時計はＣＰＵを備えており、時間計測処理（計時処理）を行い、ストップウオッチとして動作する。
【００２２】
図１は、本実施形態における腕時計１００の構成を示したブロック図である。図示する例では、腕時計１００は、発振部１０１と、ＣＰＵ１０２（中央処理装置、制御部、判定部、処理部、時間計測部、歩数算出部、距離算出部、カロリー算出部、ピッチ算出部）と、入力部１０３と、表示制御駆動部１０４と、表示部１０５（報知部）と、加速度センサ１０６と、Ａ／Ｄコンバータ１０７と、通信制御部１０８（受信部）と、受信回路１０９と、アンテナ１１０，１１１と、記憶部１１２とを備える。
【００２３】
発振部１０１はＣＰＵ１０２の動作用の基準クロック信号を発生する。ＣＰＵ１０２は、腕時計１００を構成する各部の制御等を行う。また、ＣＰＵ１０２は、時間計測部として動作し、時間計測処理を実行する。なお、時間計測処理は従来知られている処理手順と同様である。また、ＣＰＵ１０２は、歩数算出部として動作し、加速度センサ１０６が出力した加速度信号をＡ／Ｄコンバータ１０７がデジタルデータに変換したデータに基づいて、ユーザが歩行（走行）した歩数を算出する歩数算出処理を実行する。なお、歩数算出処理は従来知られている処理手順と同様である。また、ＣＰＵ１０２は、歩数算出部として動作し、加速度センサ１０６が出力した加速度信号をＡ／Ｄコンバータ１０７がデジタルデータに変換したデータに基づいて、ユーザが歩行（走行）した距離を算出する距離算出処理を実行する。なお、距離算出処理は従来知られている処理手順と同様である。
【００２４】
また、ＣＰＵ１０２は、ピッチ算出部として動作し、加速度センサ１０６が出力した加速度信号をＡ／Ｄコンバータ１０７がデジタルデータに変換したデータに基づいて、ユーザの歩行（走行）ピッチを算出するピッチ算出処理を実行する。なお、ピッチ算出処理は従来知られている処理手順と同様である。また、ＣＰＵ１０２は、消費カロリー算出部として動作し、ユーザの歩行数や歩行ピッチに基づいて、ユーザの消費カロリーを算出する消費カロリー算出処理を実行する。なお、消費カロリー算出処理は従来知られている処理手順と同様である。また、ＣＰＵ１０２は、判定部として動作し、スケジュール情報で示されるスケジュールを実施したか否かの判定を行う。
【００２５】
例えば、スケジュールが「ランニングを行うこと」である場合、ユーザがスケジュールを実行する際には腕時計１００を用いて時間を計測する。従って、ＣＰＵ１０２は、時間計測処理を行った場合、スケジュール情報で示されるスケジュールを実施したと判定する。
【００２６】
また、例えば、スケジュールが「ランニングを行うこと」である場合、ユーザがスケジュールを実行する際には腕時計１００を用いて所定の時間以上、時間を計測する。従って、ＣＰＵ１０２は、所定の時間以上、時間計測処理を行った場合、スケジュール情報で示されるスケジュールを実施したと判定する。なお、所定の時間は予め決められていてもよく、任意に決定できるようにしてもよい。
【００２７】
また、例えば、スケジュールが「ランニングを行うこと」である場合、ユーザがスケジュールを実行する際には、心拍検出装置から受信する心拍データで示される心拍数は所定の心拍数以上となる。従って、ＣＰＵ１０２は、心拍検出装置から受信する心拍データで示される心拍数が所定の心拍数以上である場合、スケジュール情報で示されるスケジュールを実施したと判定する。なお、所定の心拍数は予め決められていてもよく、任意に決定できるようにしてもよい。
【００２８】
また、例えば、スケジュールが「ランニングを行うこと」である場合、ユーザがスケジュールを実行する際には、ユーザの歩行（走行）ピッチは所定のピッチ数以上となる。従って、ＣＰＵ１０２は、ユーザの歩行（走行）ピッチが所定のピッチ数以上である場合、スケジュール情報で示されるスケジュールを実施したと判定する。なお、所定のピッチ数は予め決められていてもよく、任意に決定できるようにしてもよい。
【００２９】
また、例えば、スケジュールが「ランニングを行うこと」である場合、ユーザがスケジュールを実行する際には、ユーザの歩数は所定の歩数以上となる。従って、ＣＰＵ１０２は、ユーザの歩数が所定の歩数以上である場合、スケジュール情報で示されるスケジュールを実施したと判定する。なお、所定の歩数は予め決められていてもよく、任意に決定できるようにしてもよい。
【００３０】
また、例えば、スケジュールが「ランニングを行うこと」である場合、ユーザがスケジュールを実行する際には、ユーザの走行（歩行）距離は所定の距離以上となる。従って、ＣＰＵ１０２は、ユーザの走行（歩行）距離が所定の距離以上である場合、スケジュール情報で示されるスケジュールを実施したと判定する。なお、所定の距離は予め決められていてもよく、任意に決定できるようにしてもよい。
【００３１】
また、例えば、スケジュールが「ランニングを行うこと」である場合、ユーザがスケジュールを実行する際には、ユーザの消費カロリーは所定のカロリー以上となる。従って、ＣＰＵ１０２は、ユーザの消費カロリーが所定のカロリー以上である場合、スケジュール情報で示されるスケジュールを実施したと判定する。なお、所定のカロリーは予め決められていてもよく、任意に決定できるようにしてもよい。
【００３２】
入力部１０３は、計時処理の開始指示や終了指示など、ユーザからの指示の入力を受け付ける。表示制御駆動部１０４は、ＣＰＵ１０２からの制御信号に応答して、時刻や、ユーザに報知するための文字や図形（アイコン）などを表示部１０５に表示させる。表示部１０５は、文字や図形などを表示する液晶表示装置（ＬＣＤ）によって構成され、表示制御駆動部１０４の制御に基づいて、時刻や、ユーザに報知するための文字や図形などを表示面に表示する。
【００３３】
加速度センサ１０６は加速度を検出し、加速度に対応する大きさの加速度信号を出力する。Ａ／Ｄコンバータ１０７は、加速度センサ１０６が出力した加速度信号をデジタル信号に変換する。通信制御部１０８は、外部のスケジュール設定装置から無線通信によって送信されるスケジュール情報を、アンテナ１１０を介して受信する。なお、スケジュール設定装置は、例えばパーソナルコンピュータである。また、スケジュール情報は、例えば、スケジュールを示す文字情報と、報知する日時を示す日時情報とを含んでいる。
【００３４】
受信回路１０９は、外部の心拍検出装置から無線通信によって送信される、ユーザの心拍数を示す心拍データを、アンテナ１１１を介して受信する。記憶部１１２は、ＣＰＵ１０２が実行するプログラムや、腕時計１００が備える各部が処理を行う過程で必要なデータ等を記憶する。
【００３５】
次に、腕時計１００が、外部のスケジュール設定装置から無線通信を用いてスケジュール情報の受信を行う処理手順について説明する。なお、腕時計１００が、外部のスケジュール設定装置から無線通信を用いてスケジュール情報を受信するタイミングは、任意のタイミング（例えば、入力部１０３がスケジュール受信指示の入力を受け付けたタイミング）であってもよく、毎日決まった時刻であってもよい。図２は、本実施形態において、腕時計１００が、外部のスケジュール設定装置から無線通信を用いてスケジュール情報の受信を行う処理手順を示したフローチャートである。
【００３６】
（ステップＳ１０１）通信制御部１０８は、外部のスケジュール設定装置から送信されるスケジュール情報を受信する。その後、ステップＳ１０２の処理に進む。
（ステップＳ１０２）ＣＰＵ１０２は、ステップＳ１０１の処理で通信制御部１０８が受信したスケジュール情報を記憶部１１２に記憶させる。記憶部１１２は、スケジュール情報を記憶する。その後、処理を終了する。
【００３７】
次に、腕時計１００が、毎日、日が変わったとき（午前０時）に行う処理について説明する。図３は、本実施形態における腕時計１００が、毎日、日が変わったとき（午前０時）に行う処理手順を示したフローチャートである。
【００３８】
（ステップＳ２０１）ＣＰＵ１０２は、記憶部１１２が記憶しているスケジュール情報のうち、昨日までに実施するスケジュールのうち未実施のスケジュールがあるか否かを判定する。昨日までに実施するスケジュールのうち未実施のスケジュールがあるとＣＰＵ１０２が判定した場合にはステップＳ２０４の処理に進み、それ以外の場合にはステップＳ２０２の処理に進む。
（ステップＳ２０２）ＣＰＵ１０２は、記憶部１１２が記憶しているスケジュール情報のうち、本日実施予定のスケジュールがあるか否かを判定する。本日実施予定のスケジュールがあるとＣＰＵ１０２が判定した場合にはステップＳ２０３の処理に進み、それ以外の場合には処理を終了する。
【００３９】
（ステップＳ２０３）表示駆動制御部１０４は、本日実施予定のスケジュールが存在することを示すために、表示部１０５にスケジュールアイコンを点灯表示させる。表示部１０５は、スケジュールアイコンを点灯表示する。その後、処理を終了する。なお、スケジュールアイコンは、どのようなアイコンでもよい。
（ステップＳ２０４）表示駆動制御部１０４は、昨日までに実施するスケジュールのうち未実施のスケジュールが存在することを示すために、表示部１０５にスケジュールアイコンを点滅表示させる。表示部１０５は、スケジュールアイコンを点滅表示する。その後、処理を終了する。
【００４０】
ステップＳ２０１〜ステップＳ２０４の処理を実行することにより、腕時計１００は、ユーザに対して、昨日までに実施するスケジュールが存在すること、および、本日実施予定のスケジュールが存在することを報知することができる。
【００４１】
次に、腕時計１００が、スケジュールアイコンを消灯する処理手順について説明する。なお、腕時計１００が、スケジュールアイコンを消灯する処理を実行するタイミングは、任意のタイミング（例えば、入力部１０３が時間計測の開始を指示する入力を受け付けたタイミング）であってもよく、所定の時間間隔（例えば、１分間隔）で実行してもよい。図４は、本実施形態における腕時計１００がスケジュールアイコンを消灯する処理手順を示したフローチャートである。
【００４２】
（ステップＳ３０１）ＣＰＵ１０２は、入力部１０３が時間計測の開始を指示する入力を受け付けたか否かを判定する。時間計測の開始を指示する入力を受け付けたとＣＰＵ１０２が判定した場合にはステップＳ３０２の処理に進み、それ以外の場合には処理を終了する。
（ステップＳ３０２）ＣＰＵ１０２は、記憶部１１２が記憶しているスケジュール情報で示される未実施のスケジュールのうち、一番過去のスケジュールを実施した（スケジュール達成）と判定する。その後、ステップＳ３０３の処理に進む。
【００４３】
（ステップＳ３０３）ＣＰＵ１０２は、記憶部１１２が記憶しているスケジュール情報で示される全てのスケジュールを実施した（全てのスケジュールを達成した）か否かを判定する。全てのスケジュールを実施したと判定した場合にはステップＳ３０４の処理に進み、それ以外の場合には処理を終了する。
（ステップＳ３０４）表示駆動制御部１０４は、未実施のスケジュールが存在しないことを示すために、表示部１０５にスケジュールアイコンを消灯させる。表示部１０５は、スケジュールアイコンを消灯する。その後、処理を終了する。
【００４４】
ステップＳ３０１〜ステップＳ３０４の処理を実行することにより、腕時計１００は、時間計測処理を行った場合、スケジュールを実施したと判定することができる。また、腕時計１００は、ユーザに対して、未実施のスケジュールが存在しないことを報知することができる。
【００４５】
なお、腕時計１００が、スケジュールアイコンを消灯する処理手順は、図４に示した例に限らず、未実施のスケジュールが存在しないとＣＰＵ１０２が判定した場合にスケジュールアイコンを消灯することができる処理手順であればどのような処理手順でもよい。以下、腕時計１００がスケジュールアイコンを消灯する第２の処理手順について説明する。
【００４６】
図５は、本実施形態における腕時計１００がスケジュールアイコンを消灯する第２の処理手順を示したフローチャートである。
（ステップＳ４０１）ＣＰＵ１０２は、入力部１０３が時間計測の開始を指示する入力を受け付けたか否かを判定する。時間計測の開始を指示する入力を受け付けたとＣＰＵ１０２が判定した場合にはステップＳ４０２の処理に進み、それ以外の場合には処理を終了する。
【００４７】
（ステップＳ４０２）ＣＰＵ１０２は時間計測処理を実行する。その後、ステップＳ４０３の処理に進む。
（ステップＳ４０３）ＣＰＵ１０２は、ステップＳ４０２で実行した時間計測処理で、所定時間以上計測したか否かを判定する。所定時間以上計測したとＣＰＵ１０２が判定した場合にはステップＳ４０４の処理に進み、それ以外の場合には処理を終了する。
【００４８】
ステップＳ４０４〜ステップＳ４０６の処理は、ステップＳ３０２〜ステップＳ３０４の処理と同様である。
【００４９】
ステップＳ４０１〜ステップＳ４０６の処理を実行することにより、腕時計１００は、一定時間以上時間計測処理を行った場合、スケジュールを実施したと判定することができる。また、腕時計１００は、ユーザに対して、未実施のスケジュールが存在しないことを報知することができる。
【００５０】
なお、図４，図５に示した例では、ＣＰＵ１０２は、時間計測処理の実行に基づいてスケジュールを実施したか否かを判定しているが、これに限らない。例えば、上述したように、ＣＰＵ１０２は、心拍検出装置から受信する心拍データで示される心拍数が所定の心拍数以上である場合、スケジュール情報で示されるスケジュールを実施したと判定するようにしてもよい。また、例えば、上述したように、ＣＰＵ１０２は、ユーザの歩行（走行）ピッチが所定のピッチ数以上である場合、スケジュール情報で示されるスケジュールを実施したと判定するようにしてもよい。また、例えば、上述したように、ＣＰＵ１０２は、ユーザの歩数が所定の歩数以上である場合、スケジュール情報で示されるスケジュールを実施したと判定するようにしてもよい。また、例えば、上述したように、ＣＰＵ１０２は、ユーザの走行（歩行）距離が所定の距離以上である場合、スケジュール情報で示されるスケジュールを実施したと判定するようにしてもよい。また、例えば、上述したように、ＣＰＵ１０２は、ユーザの消費カロリーが所定のカロリー以上である場合、スケジュール情報で示されるスケジュールを実施したと判定するようにしてもよい。
【００５１】
上述した通り、本実施形態によれば、腕時計１００は、ユーザがスケジュール情報で示されるスケジュールを実施したか否かを判定する。そして、腕時計１００は、未実施のスケジュールが存在する場合には、スケジュールアイコンを点滅させる。これにより、腕時計１００は、ユーザがスケジュール通りの行動を行っていないスケジュールを報知することができる。
【００５２】
なお、上述した実施形態における腕時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５４】
なお、本発明は、上述した実施形態に限定されるものではなく、本発明の趣旨を逸脱しない範囲において種々の変更を加えることが可能である。例えば、上述した実施形態では、電子機器の例として、図１に示すような腕時計１００を例に説明したが、これに限らず、どのような電子機器でもよい。また、例えば、本実施形態では、腕時計１００は、外部のスケジュール設定装置から無線通信を用いてスケジュール情報を受信しているが、これに限らない。例えば、入力部１０３がスケジュール情報の入力を受け付けてもよい。
【００５５】
また、例えば、本実施形態では、表示部１０５にスケジュールアイコンを点灯表示や点滅表示させることで、スケジュールを報知しているが、これに限らない。例えば、腕時計１００は、報音部を備え、音を出力することで、スケジュールを報知するようにしてもよい。この場合、音の種類を変えることで、未実施のスケジュールの報知と、今日実施のスケジュールの報知とのそれぞれを報知するようにしてもよい。
【符号の説明】
【００５６】
１００・・・腕時計、１０１・・・発振部、１０２・・・ＣＰＵ、１０３・・・入力部、１０４・・・表示制御駆動部、１０５・・・表示部、１０６・・・加速度センサ、１０７・・・Ａ／Ｄコンバータ、１０８・・・通信制御部、１０９・・・受信回路、１１０，１１１・・・アンテナ、１１２・・・記憶部
【図１】
2014035690.tif 000003
【図２】
2014035690.tif 000004
【図３】
2014035690.tif 000005
【図４】
2014035690.tif 000006
【図５】
2014035690.tif 000007